(57)【特許請求の範囲】
【請求項１】
管状に形成され、後方端に係止溝（１１Ａ）が形成された前方ケース（１１）、前記前方ケース（１１）に結合され、後方端にボタンホール（１２Ａ）が形成された中央ケース（１２）、及び前記中央ケース（１２）に結合され、中央にボタンホール（１２Ａ）と接触するボタン溝（１３Ａ）の前方に貫通ホール（１３Ｂ）が形成された後方ケース（１３）からなるケース（１０）と、
前記貫通ホール（１３Ｂ）に挿入される係止段（１４Ａ）の後方にボタン（１４Ｂ）が突出して伸び、前記ボタン（１４Ｂ）は後方ケース（１３）のボタン溝（１３Ａ）に設置される弾性体（１４Ｃ）によって支持され、押圧後に復元し、係止段（１４Ａ）が形成されたロック部材（１４）と、
前記ケース（１０）の内部に挿入され、長手方向に移動する管状の作動具（２０）と、
前記作動具（２０）の内部に挿入され、ケース（１０）に係止されるインナーワイヤ（３０）と、
前記インナーワイヤ（３０）を取り囲んだ状態で挿入され、作動具（２０）の前方に固定される外部チューブ（５０）と、
外部チューブ（５０）に形成され、弾性材の引張力の作用時に収縮して拡径可能な可変部（４０）を含んでなることを特徴とする、人体内腔施術用装置。
【請求項２】
前記作動具（２０）は長い胴体管（２１）の上部に着脱されるキャップ（２２）を含んでなることを特徴とする、請求項１に記載の人体内腔施術用装置。
【請求項３】
前記作動具（２０）の胴体管（２１）は、前方側中央にワイヤホール（２３Ａ）が貫設され、
前記作動具（２０）の後方側にワイヤホール（２３Ａ）と連通するように長手方向に切開部（２４）が形成され、
前記切開部（２４）の一側切開線に沿ってロック部材（１４）の係止段（１４Ａ）に係止される係止段溝（２４Ｃ）が多数形成されることを特徴とする、請求項１または２に記載の人体内腔施術用装置。
【請求項４】
前記切開部（２４）には、インナーワイヤ（３０）が通過するワイヤホール（２３Ａ）に隣接した部分に切開部（２４）より大きな面積に拡張形成された設置部（２５）が設けられ、
前記設置部（２５）には中央に長孔（２６Ａ）が形成された四角形のストッパー（２６）が結合されるように構成されることを特徴とする、請求項３に記載の人体内腔施術用装置。
【請求項５】
前記切開部（２４）の両側内面（２４Ａ）には長手方向にガイド溝（２４Ｂ）が向かい合うように形成されることを特徴とする、請求項４に記載の人体内腔施術用装置。
【請求項６】
前記ガイド溝（２４Ｂ）には切開部（２４）の内部に挿入されるスプリング状の弾性部材（２７）の外周面が支持されるように構成されることを特徴とする、請求項５に記載の人体内腔施術用装置。
【請求項７】
前記インナーワイヤ（３０）は、作動具（２０）を貫く末端に連結される係止具（３１）が一体に固定されて前方ケース（１１）の係止溝（１１Ａ）に係止されるように構成されることを特徴とする、請求項１に記載の人体内腔施術用装置。
【請求項８】
前記インナーワイヤ（３０）は、作動具（２０）を通過する後方部分はワイヤ（３２）から形成されて係止具（３１）に一体に結合され、
前記ワイヤ（３２）の前方には板状ワイヤ（３３）が一体に形成されて前方チューブチップ（５１）に連結されるように構成されることを特徴とする、請求項７に記載の人体内腔施術用装置。
【請求項９】
前記外部チューブ（５０）は前方チューブチップ（５１）と後方チューブ（５２）とからなり、弾性材の引張力の作用時に収縮して拡径可能な可変部（４０）の前方に連結される前方チューブチップ（５１）はインナーワイヤ（３０）の末端に連結され、可変部（４０）の後方に連結される後方チューブ（５２）は作動具（２０）の前方に固定されるように構成されることを特徴とする、請求項１に記載の人体内腔施術用装置。
【請求項１０】
前記後方ケース（１３）に形成された前記ロック部材（１４）の前記ボタン（１４Ｂ）を押圧すると、前記弾性体（１４Ｃ）が一緒に押圧され、前記係止段（１４Ａ）が前記作動具（２０）の前記係止段溝（２４Ｃ）から離脱するとともに前記弾性部材（２７）が弾性力によって伸ばされ、前記弾性部材（２７）の伸張による弾性力によって前記作動具（２０）は前記係止具（３１）に支持された状態で後方に元の位置に移動することを特徴とする、請求項１に記載の人体内腔施術用装置。
【発明の詳細な説明】
【技術分野】
【０００１】
本発明は人体内腔施術用装置に係り、特に押圧作動によってプラスチックステントを固定させることができ、簡単な移動及び位置の調節ができるとともに自動で復帰することにより、施術者の手術及び使用の便利さを増大させた人体内腔施術用装置に関するものである。
【背景技術】
【０００２】
一般に、人体に発生する疾病及び手術などによって体内の臓器または血管などが狭窄すれば、体内分泌液の移動が円滑でないことがあり、臓器や血管が狭窄すれば、身体の多くの部位が正常な機能を果たすことができなくなる。
【０００３】
このように、体内分泌液が円滑に流動することができない場合、多様な形態のプラスチックステントを使うことになる。特に、胆管及び膵管（ＥＲＢＤ：ＥＮＤＯＳＣＯＰＩＣ ＲＥＴＲＲＯＧＲＡＤＥ ＢＩＬＩＡＲＹ ＤＲＡＩＮＧＥ）に狭窄が発生した場合、内視鏡を通じてプラスチックステントを挿入し、胆汁と膵液が円滑に排出されるように誘導することになる。
【０００４】
また、ＥＲＣＰ（ＥＮＤＯＳＣＯＰＩＣ ＲＥＴＲＯＧＲＡＤＥ ＣＨＯＬＡＮＧＩＯＰＡＮＣＲＥＡＴＯＧＲＡＰＨＹ）という施術は内視鏡を十二指腸まで挿入し、十二指腸膨大部（ＡＭＰＵＬＬＡ）と言う小孔を通じて胆管及び膵管の疾患部位を観察する検査で、胆管及び膵管への進入のために内視鏡を進入させた後、ＳＰＨＩＮＣＴＥＲＯＴＯＭＥというナイフを用いてＥＳＴ（ＥＮＤＯＳＣＯＰＩＣ ＳＰＨＩＮＣＴＥＲＥＣＴＯＭＹ：内視鏡的乳頭切開術）を施行し、切開された膨大部には炎症の発生及び二次的な合併症（胆管炎または膵膓炎）の危険がある。
【０００５】
このように、二次的な合併症を防止するために、プラスチックステントを挿入する施術を施すことになる。
【０００６】
この際、前記プラスチックステントは、用途や施術場所によって両端が同一方向または互いに反対方向に巻かれた形態、両端にかかりが形成された形態などの多様な種類があり、殆どの胴体が円筒状になる。
【０００７】
このようなプラスチックステントを身体の内部に施術する一般的な従来の方式はガイドカテーテルに沿って前後方向に移動するプッシュ管が結合された二重管の形態において、ガイドカテーテルを一部露出させ、ガイドカテーテルにプラスチックステントを結合した状態で人体の内腔に挿入した後、プッシュ管を前進させて所望の位置に施術する。
【０００８】
ここで使われるプラスチックステントは、位置を調節するために、別の鉗子状の施術器具でプラスチックステントを掴んで押すとか引っ張ることで調整することになる。
【０００９】
しかし、ガイドカテーテルを用いる方式は、プラスチックステントの種類やサイズによって大きさを変更しなければならない面倒さと施術後に位置調整のための施術が難しい問題点があった。
【００１０】
このような問題を解決するために、近年にはガイドカテーテルの前方でプラスチックステントを縫合糸で一緒に連結した後、身体の内腔の施術位置に挿入した後、ガイドカテーテルを移動させて正確な施術位置が決まれば、縫合糸を解いてプラスチックステントとガイドカテーテルの連結を解除して設置する方式が提案された。
【００１１】
しかし、縫合糸でプラスチックステントとガイドカテーテルを連結して施術する方式は、ガイドカテーテルとプラスチックステントが一体になって安全性は保障されるが、施術のために縫合糸を解かなければならない不便な問題点と、縫合糸を除去した後にはプラスチックステントの位置を再び調整しにくい問題点とがあった。
【００１２】
したがって、本発明は前後に往復しながら作動する施術装置を用いてプラスチックステントの手術及び位置の調整、手術後の位置調整が可能であり、さらに組職を一部摘出する鉗子機能、組職を引き離すための絞扼機能を果たすように作動する改善された施術装置が切実に要求される実情である。
【発明の概要】
【発明が解決しようとする課題】
【００１３】
したがって、本発明は前記のような従来技術の問題点に鑑みてなされたもので、簡単な押圧作動でプラスチックステントの内面に接触してプラスチックステントの固定、移動及び位置調節ができるようにする人体内腔施術用装置を提供することに目的がある。
【００１４】
そして、本発明の他の目的は、押圧時に多段式係止作動によって押圧力による可変部の直径拡張量を調節することができ、係止の解除時、弾性力によって元の位置に復元するようにすることにある。
【００１５】
また、本発明のさらに他の目的は、各構成部をそれぞれ異なる機能を果たすように別個に構成して、修理及び入替えを簡便にすることにある。
【課題を解決するための手段】
【００１６】
前記のような目的を達成するために、本発明は、管状に形成され、後方端に係止溝が形成された前方ケース、前記前方ケースに結合され、後方端にボタンホールが形成された中央ケース、及び前記中央ケースに結合され、中央にボタンホールと接触するボタン溝の前方に貫通ホールが形成された後方ケースからなるケースと、前記貫通ホールに挿入される係止段の後方にボタンが突出して伸び、前記ボタンは後方ケースのボタン溝に設置される弾性体によって支持され、押圧後に復元し、係止段が形成されたロック部材と、前記ケースの内部に挿入され、上下に移動する管状の作動具と、前記作動具の内部に挿入され、ケースに係止されるインナーワイヤと、前記インナーワイヤを取り囲んだ状態で挿入され、作動具の前方に固定される外部チューブとを含んでなることを特徴とする人体内腔施術用装置を提供する。
【発明の効果】
【００１７】
以上のように、本発明は簡単な押圧作動によってプラスチックステントの内面に接触してプラスチックステントの固定、移動及び位置調節ができるようにして施術を便利にする効果がある。
【００１８】
そして、押圧時に多段式係止作動によって押圧力による可変部の直径拡張量を調節することができ、係止の解除時、弾性力によって元の位置に復元するようにすることにより、反復的な施術過程の遂行が可能であって、施術者の疲労が軽減される効果がある。
【００１９】
また、各構成部がそれぞれ異なる機能を果たすように別個になって、修理及び入替えが簡便になり、維持保守管理コストが節減される効果がある。
【図面の簡単な説明】
【００２０】
【図１】本発明による人体内腔施術用装置を示した分解斜視図である。
【図２】本発明による人体内腔施術用装置を示した結合斜視図である。
【図３】本発明による人体内腔施術用装置を示した断面図である。
【図４】他の実施例による人体内腔施術用装置を示した分解斜視図である。
【図５】他の実施例による人体内腔施術用装置を示した結合斜視図である。
【図６】他の実施例による人体内腔施術用装置を示した断面図である。
【図７】（Ａ）は図３及び図６の「Ａ」の拡大図、（Ｂ）は図３及び図６の「Ｂ」の拡大図である。
【図８】（Ａ）はボタンの作動によって作動具とロックが解除されながら復帰する作動拡大図、（Ｂ）はボタンの復帰作動拡大図である。
【図９】プラスチックステントを施術するための断面図及び作動図である。
【図１０】プラスチックステントを施術するための断面図及び作動図である。
【図１１】鉗子機能を果たすための施術装置の断面図及び作動図である。
【図１２】鉗子機能を果たすための施術装置の断面図及び作動図である。
【図１３】絞扼機能を果たすための施術装置の断面図及び作動図である。
【図１４】絞扼機能を果たすための施術装置の断面図及び作動図である。
【発明を実施するための形態】
【００２１】
本発明は押圧作動によってプラスチックステントを固定させることができ、簡単な移動及び位置調節ができるとともに、自動で復帰することによって施術者の手術及び使用の便利さを増大させるようにするものである。
【００２２】
前記のような本発明の好適な実施例を添付図面に基づいて詳細に説明すれば次のようである。
【００２３】
図１〜図３に示したように、本発明の人体内腔施術用装置は、ケース１０、ケース１０の内部に挿入され、上下に移動する作動具２０、前記作動具２０に挿入され、ケース１０に係止されるインナーワイヤ３０、前記インナーワイヤ３０に外挿され、及び可変部４０が形成された外部チューブ５０からなる施術装置１００Ａと、図４〜図６に示したように、前記施術装置１００Ａと同様に構成されるが、外部チューブ５０の前方チューブチップ５１と後方チューブ５２に取り付けられ、インナーワイヤ３０の引っ張り及び引っ張り解除によって可変部４０の直径が変化するようにする施術装置１００Ｂとを構成する。
【００２４】
図１〜図８に示したように、前記施術装置１００Ａ及び１００Ｂの共通的な特徴を説明すれば次のようである。
【００２５】
まず、前記施術装置１００Ａ及び１００Ｂのケース１０は管状になったもので、前方ケース１１、中央ケース１２、及び後方ケース１３からなる。
【００２６】
この際、前記前方ケース１１は作動具２０の前方部に結合され、後方端にインナーワイヤ３０の末端が係止される係止溝１１Ａが形成される。
【００２７】
すなわち、前記前方ケース１１は中央ケース１２が嵌合される結合端１１Ｂが一端に形成され、前記結合端１１Ｂに一体に延設された係止溝端１１Ｃの末端に一対の係止溝１１Ａが向かい合うように形成される。
【００２８】
また、前記中央ケース１２は作動具２０に外挿されて前方ケース１１に結合され、その後方端にボタンホール１２Ａが形成される。
【００２９】
すなわち、前記中央ケース１２において、一端は前方ケース１１の施術者が把持し易くするために中央が括れており、両端は拡径するように形成された管状に構成され、ボタンホール１２Ａが形成された側の反対側は前方ケース１１と結合され、ボタンホール１２Ａが形成された末端は後方ケース１３と結合されるように構成される。
【００３０】
そして、前記後方ケース１３は作動具２０に外挿されて中央ケース１２に結合され、中央にボタンホール１２Ａと接触するボタン溝１３Ａの前方に伸びる締結端１３Ｃに貫通ホール１３Ｂが形成される。
【００３１】
このような前記後方ケース１３には、貫通ホール１３Ｂを通過して作動具２０に接触する係止段１４Ａの後方にボタン１４Ｂが突出して伸びるロック部材１４が設けられる。
【００３２】
この際、前記ロック部材１４は長手方向に断面階段状に構成されたもので、係止段１４Ａは下部側に位置し、ボタン１４Ｂは上部側に位置し、前記係止段１４Ａとボタン１４Ｂは垂直段１４Ａ’に一体に連結され、前記垂直段１４Ａ’の下部に陷沒して形成されたヒンジ溝１４Ａ”に、上部ケース１０のボタンホール１２Ａとボタン溝１３Ａが連結される末端に形成されたヒンジ端１３Ｄが挿合されて回転運動するように構成されたものである。
【００３３】
また、前記ロック部材１４のボタン１４Ｂは後方ケース１３のボタン溝１３Ａに設けられた弾性体１４Ｃによって弾支されることで、押圧後に復元するとともに係止段１４Ａを作動具２０の係止段溝２４Ｃに密着させるように構成される。
【００３４】
そして、前記作動具２０はケース１０の内部から上下に移動する管状の作動具２０を構成する。
【００３５】
このような前記作動具２０は長い胴体管２１の上部に着脱されるキャップ２２が設けられる。
【００３６】
また、前記作動具２０の胴体管２１は前方側中央を貫くワイヤホール２３Ａが形成される。
【００３７】
また、前記作動具２０の後方側に、ワイヤホール２３Ａと連通するように長手方向に切開部２４が形成される。
【００３８】
ここで、前記切開部２４の一側切開線に沿ってロック部材１４の係止段１４Ａに係止される係止段溝２４Ｃが多数形成される。
【００３９】
すなわち、前記係止溝１１Ａは、作動具２０が押圧されて進行する方向に傾斜面２４Ｃ’を形成し、その後方に直角面２４Ｃ”を形成することで、ロック部材１４の係止段１４Ａが係止段溝２４Ｃの傾斜面２４Ｃ’と接触したままで移動して直角面２４Ｃ”に係止されるように構成されたものである。
【００４０】
このような前記切開部２４には、インナーワイヤ３０が通過するワイヤホール２３Ａに隣接した部分に切開部２４より大きな面積に拡張形成された設置部２５が設けられる。
【００４１】
前記設置部２５には、中央に長孔２６Ａが形成された四角形のストッパー２６が結合され、前記長孔２６Ａを通じてインナーワイヤ３０が貫通するように構成される。
【００４２】
また、前記切開部２４の両側内面２４Ａには長手方向にガイド溝２４Ｂが向かい合うように構成され、前記ガイド溝２４Ｂには切開部２４の内部に挿入されるスプリング状の弾性部材２７の外周面が支持されるように構成される。
【００４３】
すなわち、前記ガイド溝２４Ｂは弓張り月形のもので、上下端が閉塞した形態の支持段２４Ｂ’を形成することにより、弾性部材２７の上下端が支持されるように構成されたものである。
【００４４】
一方、前記作動具２０の内部に挿入されてケース１０に係止されるインナーワイヤ３０が設けられる。
【００４５】
この際、前記インナーワイヤ３０は、作動具２０を貫く末端に連結される係止具３１が一体に固定されて前方ケース１１の係止溝１１Ａに係止されるように構成される。
【００４６】
すなわち、前記インナーワイヤ３０は、作動具２０の胴体管２１に形成されたワイヤホール２３Ａを通過した後、作動具２０の切開部２４に形成された設置部２５に結合されるストッパー２６の長孔２６Ａを貫いた後、係止具３１と一体に結合されて前方ケース１１の係止溝１１Ａに係止されるように構成されるものである。
【００４７】
また、前記インナーワイヤ３０は作動具２０を通過する後方部分はワイヤ３２の前方端に板状ワイヤ３３が一体に形成されてなったもので、ワイヤ３２は係止具３１と一体に結合され、板状ワイヤ３３が前方に形成されたものである。
【００４８】
この際、前記板状ワイヤ３３は外部チューブ５０の内部に挿入され、ガイドワイヤが挿入できる空間を確保する。
【００４９】
また、前記外部チューブ５０はインナーワイヤ３０を取り囲んだ状態で挿入され、作動具２０の前方に固定されるように構成される。
【００５０】
この際、前記外部チューブ５０は使用用途によって単一構成にして使用可能であるが、必要によって前方チューブチップ５１と後方チューブ５２に分割して構成することもできる。
【００５１】
このような前記施術装置１００Ａ及び１００Ｂの活用は、プラスチックステント２００を固定して移動させるための構成と、鉗子３００で組職を一部摘出する鉗子のような機能のための構成と、スネアループ４００で組職を引き離すための構成とに区分することができる。
【００５２】
１．図４〜図６、図９及び図１０に示したように、プラスチックステント２００を固定して移動させるための構成は、施術装置１００Ａ及び１００Ｂにおいて、いずれも外部チューブ５０が前方チューブチップ５１と後方チューブ５２から構成され、ゴムチューブのような弾性を持つ材質が引張力の作用時に収縮して拡径可能な可変部４０の前方に連結される前方チューブチップ５１はインナーワイヤ３０の板状ワイヤ３３の末端に連結され、可変部４０の後方に連結される後方チューブ５２は作動具２０の前方に固定される。
【００５３】
すなわち、前記作動具２０を押圧する場合、ケース１０とインナーワイヤ３０は元の位置に維持された状態で、後方チューブ５２が作動具２０とともに移動し、インナーワイヤ３０に連結された前方チューブチップ５１は元の位置を維持した状態で可変部４０が押圧されて拡径してプラスチックステント２００の内面を押圧することでプラスチックステント２００を固定するものである。
【００５４】
２．図１１及び図１２に示したように、鉗子３００で組職を一部摘出する鉗子のような機能のための施術装置１００Ａ及び１００Ｂは、インナーワイヤ３０のワイヤ３２の末端や板状ワイヤ３３の末端に鉗子３００を連結し、前記外部チューブ５０の後方チューブ５２の前方端には鉗子３００が設置される鉗子胴体３０１を連結することで鉗子の機能を果たすように構成する。
【００５５】
すなわち、前記鉗子３００は鉗子胴体３０１にヒンジ連結方式で締結され、作動具２０を押圧する場合、ケース１０とインナーワイヤ３０は元の位置に維持された状態で外部チューブ５０が作動具２０と一緒に移動して鉗子３００をつまむ状態を維持し、反対に作動具２０が後方に移動すれば広開した状態になるように構成される。
【００５６】
３．図１３及び図１４に示したように、スネアループ４００で組職を引き離すための施術装置１００Ａ及び１００Ｂは、インナーワイヤ３０のワイヤ３２の末端や板状ワイヤ３３の末端にスネアループ４００を連結して外部チューブ５０の後方チューブ５２の内部に対して挿入または引出するように構成する。
【００５７】
すなわち、前記スネアループ４００がインナーワイヤ３０に連結された状態で作動具２０を押圧する場合、ケース１０とインナーワイヤ３０は元の位置に維持された状態で外部チューブ５０が作動具２０とともに移動してスネアループ４００は挿入状態を維持し、反対に作動具２０が後方に移動すれば、スネアループ４００は露出状態になるように構成される。
【００５８】
前記のように構成された本発明の作用及び効果を説明すれば次のようである。
【００５９】
図１〜図８に示したように、前記施術装置１００Ａは、外部チューブ５０のインナーワイヤ３０を挿入して連結する。
【００６０】
その後、前記外部チューブ５０のインナーワイヤ３０を作動具２０のワイヤホール２３Ａを通じて挿入し、外部チューブ５０は作動具２０の前方端に固定連結する。
【００６１】
ついで、前記作動具２０の設置部２５に結合されたストッパー２６の長孔２６Ａを通じてインナーワイヤ３０を貫通させた後、末端に係止具３１を一体に結合する。
【００６２】
その後、前記作動具２０の切開部２４を通じて弾性部材２７を挿入した後、ガイド溝２４Ｂに挿入させることで外周面が支持されてガイドされるようにし、弾性部材２７の上下端はガイド溝２４Ｂの上下部に形成される支持段２４Ｂ’にそれぞれ支持されるように結合し、前記作動具２０の胴体管２１の上部にキャップ２２を結合する。
【００６３】
その後、前記前方ケース１１を外部チューブ５０が貫通した状態で作動具２０の前方部に結合し、前記インナーワイヤ３０の係止具３１を前方ケース１１の係止溝１１Ａに挿入して結合した後、中央ケース１２を前方ケース１１の結合端１１Ｂに結合する。
【００６４】
ついで、前記ロック部材１４のヒンジ溝１４Ａ”に後方ケース１３のヒンジ端１３Ｄを挿入して固定し、係止段１４Ａは貫通ホール１３Ｂを通じて挿入されるように位置させ、前記ボタン１４Ｂの下面に形成された第１弾性体溝１４Ｂ’に弾性体１４Ｃの一端を挿入してボタン溝１３Ａの底面の第２弾性体溝１３Ａ’に他端を挿入することで、弾性体１４Ｃがボタン１４Ｂを弾支して係止段１４Ａが中央ケース１２の内部空間に押し込まれるようにすることにより、後方ケース１３の締結端１３Ｃが中央ケース１２の内部に挿合される。
【００６５】
この際、前記中央ケース１２と後方ケース１３の結合によって中央ケース１２のボタンホール１２Ａと後方ケース１３のボタン溝１３Ａが合わせられ、ロック部材１４のボタン１４Ｂを押圧するときにボタン１４Ｂが挿入可能なボタン空間１０Ａをなすことになる。
【００６６】
その後、前記施術装置１００Ａを使うためには、施術者がケース１０を手で掴んだ状態で、母指で後方ケース１３の後方に露出される作動具２０のキャップ２２の上端を押圧すれば、作動具２０が前進方向に移動することになる。
【００６７】
すなわち、前記作動具２０の前進移動によって作動具２０及び外部チューブ５０が前進するとともにケース１０が後進する状態になり、前方ケース１１の係止溝１１Ａにかかったインナーワイヤ３０の係止具３１によってインナーワイヤ３０はケース１０とともに移動することができなくなる。
【００６８】
この際、前記作動具２０の前進移動によって係止溝１１Ａの傾斜面２４Ｃ’に沿ってロック部材１４の係止段１４Ａが接触状態で移動し、作動具２０の移動が止まる時点に垂直段１４Ａ’が係止段溝２４Ｃに係止される。
【００６９】
このように、前記係止段１４Ａが係止される係止段溝２４Ｃを多数形成して移動距離を調節することができるので、可変部４０の直径変化率を簡便に調節することができる特徴がある。
【００７０】
ここで、前記ロック部材１４のボタン１４Ｂを押し上げる弾性体１４Ｃの弾性力によって係止段１４Ａは作動具２０の係止段溝２４Ｃに密着した状態でラッチのように移動することにより、垂直段１４Ａ’に係止段１４Ａがかかった状態を維持することができ、外力が発生しても係止作用がめったに解除されない特徴がある。
【００７１】
そして、前記作動具２０の前進移動によって弾性部材２７は前方ケース１１の係止溝１１Ａに係り、後進作動する係止具３１に接触して押圧される。
【００７２】
この際、前記弾性部材２７は作動具２０のガイド溝２４Ｂに沿って圧縮されることにより、切開部２４から離脱しない特徴がある。
【００７３】
このような前記施術装置１００Ａ及び１００Ｂの使用は、プラスチックステント２００を固定して移動させるための作動と、鉗子３００で組職を一部摘出する鉗子のような機能のための作動と、スネアループ４００で組職を引き離すための作動とに区分することができる。
【００７４】
１．図９及び図１０に示したように、プラスチックステント２００を固定して移動させるための作動過程は、前記作動具２０が前進作動すれば、ケース１０とともにインナーワイヤ３０の板状ワイヤ３３に連結された前方チューブチップ５１が引かれ、後方チューブ５２は作動具２０とともに前進し、可変部４０が長手方向の中心を向かって押圧されて円筒状直径が中央部分で四方に膨脹する円板状に隆起して変形される。
【００７５】
この際、前記可変部４０の直径変化は最初直径（Ｄ）から可変直径（Ｄ）に変形される。もし、プラスチックステント２００を施術装置１００で固定させて移動させる場合、可変直径（Ｄ）の部分がプラスチックステント２００の内面に密着して膨張力をプラスチックステント２００に伝達することによってプラスチックステント２００を固定することができることになり、固定された状態で施術装置１００全体を前後進させる場合、プラスチックステント２００を前後進させることができるので、位置調整が易しく行える特徴がある。
【００７６】
特に、前記施術装置１００を用いる場合、プラスチックステント２００を取り囲んで固定するとか移動させる方式を脱して体積を減少させることができ、プラスチックステント２００の変形なしに簡単に身体の内腔に沿って移動させることができる特徴がある。
【００７７】
一方、前記施術装置１００によるプラスチックステント２００の固定または移動が完了したとき、後方ケース１３に形成されたロック部材１４のボタン１４Ｂを押圧すれば、弾性体１４Ｃが一緒に押圧され、係止段１４Ａが作動具２０の係止段溝２４Ｃから離脱するとともに弾性部材２７が弾性力によって伸ばされる。
【００７８】
このように、前記弾性部材２７の伸張による弾性力によって作動具２０は係止具３１に支持された状態で後方に元の位置に早く移動し、次の動作が迅速に行える準備段階を維持する特徴がある。
【００７９】
２．図１１及び図１２に示したように、鉗子３００で組職を一部摘出する鉗子のような機能のための作動過程において施術装置１００Ａ及び１００Ｂは、作動具２０を押圧する場合、ケース１０とインナーワイヤ３０は元の位置に維持された状態で外部チューブ５０が作動具２０と一緒に移動して鉗子３００を摘んだ状態に維持し、反対にロック部材１４のロックを解除して作動具２０が後方に移動すれば、広がった状態で鉗子３００の内部に摘出すべき組職を挿入させた後、作動具２０を押圧すれば、鉗子３００が組職を引き離して摘出する。
【００８０】
３．図１３及び図１４に示したように、スネアループ４００で組職を引き離すための施術装置１００Ａ及び１００Ｂは、作動具２０を押圧する場合、ケース１０は元の位置に維持された状態で、インナーワイヤ３０が作動具２０と一緒に移動するとともにスネアループ４００は挿入状態を維持し、反対にロック部材１４のロックを解除して作動具２０が後方に移動すれば、スネアループ４００は露出状態になり、スネアループ４００の内部にポリープのような除去すべき組職を入れた状態で作動具２０を押圧すれば、スネアループ４００が外部チューブ５０の内部に引っ張れて挿入されながらポリープを押圧して除去する。
【００８１】
以上、本発明を特定の好適な実施例に基づいて示して説明したが、本発明は前記のような実施例に限定されるものではなく、本発明の精神を逸脱しない範囲内で本発明が属する技術分野で通常の知識を持った者によって多様な変更及び修正が可能である。
【符号の説明】
【００８２】
１０    ケース
１０Ａ    ボタン空間
１１    前方ケース
１１Ａ    係止溝
１２    中央ケース
１２Ａ    ボタンホール
１２Ａ’    ヒンジ端
１３    後方ケース
１３Ａ    ボタン溝
１３Ａ’    第２弾性体溝
１３Ｂ    貫通ホール
１３Ｃ    締結端
１４    ロック部材
１４Ａ    係止段
１４Ａ’    垂直段
１４Ａ”    ヒンジ溝
１４Ｂ    ボタン
１４Ｂ’    第１弾性体溝
２０    作動具
２１    胴体管
２２    キャップ
２３Ａ    ワイヤホール
２４    切開部
２４Ａ    内面
２４Ｂ    ガイド溝
２４Ｂ’    支持段
２４Ｃ    係止段溝
２４Ｃ’    傾斜面
２４Ｃ”    直角面
２５    設置部
２６    ストッパー
２６Ａ    長孔
２７    弾性部材
３０    インナーワイヤ
３１    係止具
３２    ワイヤ
３３    板状ワイヤ
４０    可変部
５０    外部チューブ
５１    前方チューブチップ
５２    後方チューブ
１００    施術装置
２００    プラスチックステント
３００    鉗子
３０１    鉗子胴体
４００    スネアループ
Ｄ    最初直径
Ｄ    可変直径
【図１】
0006256481.tif 000002
【図２】
0006256481.tif 000003
【図３】
0006256481.tif 000004
【図４】
0006256481.tif 000005
【図５】
0006256481.tif 000006
【図６】
0006256481.tif 000007
【図７】
0006256481.tif 000008
【図８（ａ）】
0006256481.tif 000009
【図８（ｂ）】
0006256481.tif 000010
【図９】
0006256481.tif 000011
【図１０（ａ）】
0006256481.tif 000012
【図１０（ｂ）】
0006256481.tif 000013
【図１１】
0006256481.tif 000014
【図１２（ａ）】
0006256481.tif 000015
【図１２（ｂ）】
0006256481.tif 000016
【図１３】
0006256481.tif 000017
【図１４（ａ）】
0006256481.tif 000018
【図１４（ｂ）】
0006256481.tif 000019